(57)【要約】【課題】好みに応じて、また、必用に応じて、しかもリアルタイムに、色調や輝度を自在に変更できるようにする。【解決手段】一つ或いはそれ以上の発光ダイオード４を配した回路基盤５が、ソケットに接続する口金３を備えた透光性のグローブ２内に収納されてなるランプ１に、この発光ダイオード４の色調並びに輝度を調整する可変抵抗器ＶＲ１〜４を一体に組み込む。【効果】従来の固定的なプログラムに基づいたお仕着せの色調変化ではなくて、自らが必用に応じて、また、好みに応じて、目の前の、色調並びに輝度を可変する可変抵抗器ＶＲ１〜４を自在に作動でき、従って、リアルタイムに、自在に色調並びに輝度を調整できる。【選択図】      図１
2005222750.tif 000002
【特許請求の範囲】
【請求項１】
一つあるいはそれ以上の発光ダイオードを配した配線基盤が、ソケットに接続する口金を
備えた透光性のグローブ内に収納されてなるランプに、この発光ダイオードの少なくとも
色調を手動で変化させる手段が一体に組み込まれていることを特徴とする調光機能を持つ
照明装置。
【請求項２】
発光ダイオードは赤、緑、青の３原色と必要に応じて白色の一組あるいはそれ以上の組で
ある請求項１記載の調光機能を持つ照明装置。
【請求項３】
発光ダイオードは、紫外発光ダイオードである請求項１記載の調光機能を持つ照明装置。
【請求項４】
少なくとも色調を手動で変化させる手段は、発光ダイオードの点灯駆動回路中に設けられ
た可変抵抗器である請求項１記載の調光機能を持つ照明装置。
【請求項５】
少なくとも色調を手動で変化させる手段は、発光ダイオードの点灯駆動回路中に設けられ
た制御回路とこの制御回路に設けられた可変抵抗器である請求項１記載の調光機能を持つ
照明装置。
【請求項６】
可変抵抗器は手動回転式あるいは手動スライド式のいずれかである請求項４〜５記載の調
光機能を持つ照明装置。
【請求項７】
少なくとも色調を手動で変化させる手段は、発光ダイオードの点灯駆動回路中に設けられ
た制御回路とこの制御回路に設けられた受信回路部を備え、リモコン送信機から遠隔操作
可能に構成されている請求項１記載の調光機能を持つ照明装置。
【請求項８】
少なくとも色調を手動で変化させる手段は、蛍光塗料が施されていて、紫外線発光ダイオ
ードの前面に対して変移可能に構成された発光色可変体である請求項１記載の調光機能を
持つ照明装置。
【請求項９】
発光色可変体は、表面に発光塗料を塗布したプレートと、グローブに設けた脱着用の開口
とからなり、この開口に対してプレートが着脱自在に装着されようにした請求項８記載の
調光機能を持つ照明装置。
【請求項１０】
発光色可変体は、表面に複数種類の発光色を発する発光塗料を塗布した区分を設けたフィ
ルターと、これを回転させる駆動制御機構とからなる請求項８記載の調光機能を持つ照明
装置。
【請求項１１】
プレートには模様領域が設けられているとともに、その発光ダイオード存在側には光束調
整具が設けられている請求項９記載の調光機能を持つ照明装置。
【発明の詳細な説明】
【技術分野】
【０００１】
本発明は、色調並びに輝度を可変とする調光機能を持つ照明装置、更に詳しくは、一つ
あるいはそれ以上の発光ダイオードを配した配線基盤が、ソケットに接続する口金を備え
た透光性のグローブ内に収納されてなるランプ、つまり照明装置に関する。
【背景技術】
【０００２】
この種グローブ内に調光機能を持つ照明装置は、一般には一灯一灯が１つの特定された
光色を出すものが多く、色調や輝度を自在に変更することはできなかった。
【０００３】
そこで、色調の変更を意図して、グローブ内に、赤、緑、青の３原色のリード素子から
なるリードアセンブリーを光源として、その光の出力中、ランプに設けた制御回路によっ
て３原色の割合を制御する手段が提案されている。
【特許文献１】特開２０００−５７３７１号公報
【特許文献２】特開２００３−５１２０９号公報
【発明の開示】
【発明が解決しようとする課題】
【０００４】
しかし、この制御回路を組み込んだ従来のランプは、あらかじめ設定されたプログラム
に従って色調が制御されるに止まる。つまり、使用するものの意図とは無関係に、自動的
に変化する仕組みである。
【０００５】
ところで、特に一般家庭に例をとると、照明装置、殊にランプは、食事時は明るい白色
で、寛ぎの時、また、就寝時は暖かで寝付きを良くする電球色で、読書する時の目に優し
く、また文字を見やすい自然光に近い色合いで、更に商店などでは陳列品を効果的に照ら
す種々の色合いなど、特に自分の好みに応じて、必要に応じて、しかもリアルタイムに、
色調や輝度を変更できるのが望ましい。その他、赤や青の光を照射することで植物の成長
を促進することができる。つまりは、様々なところにおいて、それに必要な色があるにも
かかわらず、従来のランプではこの要求を満足できなかった。
【０００６】
その他の極一般的な構造としては、光源とコントローラとが別個に作られている上に、
それぞれを別の場所に装備する大型の設備であるため、一般家庭の天井灯や壁灯、更には
スタンドなどの照明器具には適用できなかった。
【０００７】
本発明者等は、この以上の問題点に鑑み、種々検討を重ねた。
その結果、自分の好みに応じて、必要に応じて、しかもリアルタイムに、色調や輝度を
変更するには、色調や輝度を調整する手段がランプに設けられていることが必須であるこ
とに思い至り、開発を重ねたところ、所期の好ましい効果を期待でる照明装置を得たので
、ここに提案する。
【０００８】
したがって、本発明は、好みに応じて、また、必要に応じて、しかもリアルタイムに、
少なくとも色調を自在に変更できる調光機能を持つ照明装置を提供することである。
【課題を解決するための手段】
【０００９】
以上の技術的な課題を解決するために、本発明の請求項１記載の調光機能を持つ照明装
置は、一つあるいはそれ以上の発光ダイオードを配した配線基盤が、ソケットに接続する
口金を備えた透光性のグローブ内に収納されてなるランプに、この発光ダイオードの少な
くとも色調を手動で変化させる手段が一体に組み込まれている。
【００１０】
この調光機能を持つ照明装置では、ランプに一体に組み込まれた発光ダイオードの手動
で調光できる手段を作動すると、その調節量に応じて発光ダイオードの少なくとも色調を
調節できる。
【発明の効果】
【００１１】
したがって、この発明は以下の効果を奏する。
以上説明したように、本発明の調光機能を持つ照明装置は、従来の固定的なプログラム
に基づいたお仕着せの色調の変化ではなくて、自らが必要に応じて、また、好みに応じて
、目の前にある、色調を変化させる手段を自在に作動でき、したがって、リアルタイムに
、自在に少なくとも色調を調整できる。
【００１２】
その結果、食事などをするときには明るい白色で、お酒を飲んだり寛ぐときは暖かい電
球色に変えたりと、自分の好きな色の照明を楽しむことができる。また、食品や宝石、花
など、特定の色で照明すると、より美しくあるいはより美味しそうに見せることができる
。例えば肉類や赤身の魚肉類などは赤色の照明を当てると新鮮で、美味しそうに見せるこ
とができる。更には、老眼の人などは、自然光に近い色合いにして文字は読み易くするこ
とができる。また、寝る前などは電球色の光を浴びてから寝床につくと寝つきが良くなっ
たりする。そして、赤や青の光を照射することで植物の成長を促進することができるなど
、必要に応じて、また、好みに応じて、リアルタイムに、自在に色調を調整できる。
【００１３】
この発明に係る調光機能を持つ照明装置では、発光源である発光ダイオードとして、請
求項２に記載のように、赤、緑、青の３原色と必要に応じて白色の一組あるいはそれ以上
の組にしたり、請求項３に記載のように、紫外線用のものを採用できる。
いずれも好みのいろいろな色を現出できるので好ましい。特に前者はこれを手軽に得ら
れるのでより好ましい。
【００１４】
また、少なくとも手動で色調を変化させる手段として、請求項４に記載のように、点灯
駆動回路中に設けられた可変抵抗器を採用できる。この場合、複数の発光ダイオードを採
用する場合には、個々の色合いの発光ダイオード若しくはその群それぞれに個別に調整で
きる。
色調の変化に合わせて輝度も合わせて調整することができ、所期の目的をより理想的に
達成できる。併せてより高度で複雑な色合い・輝度の調整を個人の好みによって様々に現
出できる上で望ましい。
【００１５】
この場合、特に請求項６に記載のように、可変抵抗器を手動回転式あるいは手動スライ
ド式のものを採用することによって、色合い・輝度の調整を自らが直接操作して、現出で
きるので、個々人の好みを一層理想的に達成できる。
【００１６】
更に、少なくとも手動で色調を変化させる手段として、請求項５に記載のように、発光
ダイオードを制御する制御回路とこの制御回路に設けられた可変抵抗器を採用できる。こ
の場合、請求項７に記載のように、可変抵抗器に変えてリモコンによる遠隔操作も採用で
きる。
可変抵抗器あるいはリモコンの操作により制御回路が、アナログ的若しくはデジタル的
（例えばデューティーコントロール等）に発光ダイオードをコントロールするので、調整
操作に馴染まない需要者には朗報である。言うまでもなく遠隔操作により、手動操作がか
なわない高い位置に設けられたりした光源の色調・輝度の調整を居ながらにして簡便に行
える上で望ましい。
【００１７】
少なくとも手動で色調を変化させる手段として、請求項８に記載のように、蛍光塗料が
施されていて、紫外発光ダイオードの前面に対して変移可能な発光色可変体を採用できる
。この場合、請求項９に記載のように、この発光色化変体に特定の色が出る蛍光塗料を塗
布した複数枚のプレートを用意し、これらをグローブに対して交互に着脱自在に装着する
構成や、請求項１０に記載のように、発光色化変体に特定の色が出る蛍光塗料を区分けし
て塗布した少なくとも一枚のフィルターを採用し、これを駆動制御機構で回転して望みの
区分を紫外線に晒すようにした構成を採用できる。
いずれも、上述した各構成と同様の効果、つまりは必要に応じて、また、好みに応じて
、リアルタイムに、自在に色調・輝度を調整できる効果を現出でき、併せて比較的簡便に
色調・輝度の調整を可能にする。
【００１８】
更に、請求項１１に記載のように、プレートには模様領域を設けるとともに、その発光
ダイオード存在側には光束調整具を設けるようにするのが望ましい。
大変ユニークな照明効果が得られるからである。
【発明を実施するための最良の形態】
【００１９】
好みに応じて、また、必要に応じて、しかもリアルタイムに、色調・輝度を自在に変更
できるようにするという目的を、発光ダイオードとして赤、緑、青の３原色と、必要に応
じて白色の一組を採用し、色調並びに輝度を変化させる手段として、赤、緑、青の３原色
の発光ダイオードの各点灯駆動回路中にそれぞれ手動による可変抵抗器を配して実現した
。
【実施例１】
【００２０】
以下、この発明の調光機能を持つ照明装置を、発光ダイオードとして赤、緑、青の３原
色と、必要に応じて白色の一組を採用し、色調並びに輝度を変化させる手段として、赤、
緑、青の３原色の発光ダイオードの各駆動回路中にそれぞれ手動による可変抵抗器を配し
た場合について、図１、図２の記載に基づいて、以下詳細に説明する。
【００２１】
本発明の調光機能を持つ照明装置であるランプ１は、基本的に、透明あるいは半透明の
合成樹脂で作られた球状の外形を備えたグローブ２と、ソケット（図外）にねじ込まれる
口金３を下部に一体に備えている。赤（Ｒ）、緑（Ｇ）、青（Ｂ）の３原色を含む素子か
らなる発光ダイオード４の複数組がグローブ２に内蔵されている。各発光ダイオード４は
、プリント配線基盤５の上に平面的に配されている。この発光ダイオード４は、必要に応
じて適宜の個数が採用されるが、最小限各１個の一つの組とする。またこれ以上の組数に
なった場合には、必要に応じて赤（Ｒ）、緑（Ｇ）、青（Ｂ）の組み合わせ個数を調整す
ることもできるが、基本的には同数にするのが望ましい。また、図２に想像線で示すよう
に、必要に応じて白色を発する発光ダイオードも採用できる。前記発光ダイオード４は、
デスクリート型のＬＥＤランプが採用されている。
【００２２】
また、グローブ２と口金３との間には、前記発光ダイオード４の色調並びに輝度を調整
する手段として、スライド式の可変抵抗器ＶＲ１〜３（図２）並びにその操作摘み６１〜
６３を設けた操作具装着部７を一体に備えている。
【００２３】
操作具装着部７の周壁には横一線状に操作案内溝８が設けられていて、前記操作摘み６
１〜６３がスライド自在に嵌合されている。
【００２４】
なお、図１中６４は、白色の発光ダイオード４を調整するための操作摘みである。
【００２５】
図２は、配線基盤５に搭載された発光ダイオード４の点灯駆動回路Ｃの構成の一例を示
している。図示されたものは簡易直流駆動回路で、図中Ｒ１〜Ｒ４は抵抗を示す。各発光
ダイオード４は、整流ダイオードにより全波整流された直流が印加される。この際に各発
光ダイオード４の直流回路ＣＡ〜ＣＤに組み込んだ可変抵抗器ＶＲ１〜４が操作されて、
各発光ダイオード４への電流が調整される。このように電流を大小調整することで、結果
として、色調並びに輝度を調整することができる。
尚、図中のＶＲ４は、白色の発光ダイオード４を調整するための可変抵抗器を示す。
【００２６】
次に、調光機能を持つ照明装置の他の実施例を説明する。
この説明に際して、図１に示される構成と同じ構成については同一の符号を付してその
構造の詳細な説明は省略する。
【実施例２】
【００２７】
図３は、本発明に係る調光機能を持つ照明装置の第２の実施例を示し、図１に示す可変
抵抗器ＶＲ１〜４に回転式が採用されたもので、その操作摘み６１〜６４が円盤型に形成
された構造を示す。
【実施例３】
【００２８】
図４並びに図５は、本発明に係る調光機能を持つ照明装置の第３の実施例を示し、操作
具装着部７に、赤（Ｒ）、緑（Ｇ）、青（Ｂ）の３原色、そして必要に応じて白色の発光
ダイオード４の光の割合を制御する制御回路９が一体に組み込まれた例を示す。図５は、
この制御回路９を組み込んだ点灯駆動回路Ｃ１を示している。この点灯駆動回路Ｃ１の各
発光ダイオード４の直流回路ＣＡ〜ＣＤにはフォトカプラＰＣ１〜ＰＣ４が組み込まれて
いる。また、前記制御回路９には可変抵抗器ＶＲ５が設けられている。
【００２９】
したがって、この可変抵抗器ＶＲ５を操作してその抵抗値を変えると、制御回路９より
可変抵抗器ＶＲ５の抵抗値に対応したフォトカプラ制御信号を出力し、各発光ダイオード
４の電流がアナログ的若しくはデジタル的に制御し、もって色調、併せて輝度の調整が行
えるようになっている。また、制御回路９のコントロールは、前記操作具装着部７に設け
た手動式で、スライド型の操作摘み１０によって行われる。
尚、制御回路９での制御内容は、電流値を可変にしたり、電流の通電時間を可変にした
りすることができる。
【００３０】
また、図６は、図４のスライド型の操作摘み１０に代えて回転式の操作摘み１１を採用
した例を示し、具体的には、操作具装着部７の外周を囲繞する形で設けられてリング状の
回転体から構成されている。
【実施例４】
【００３１】
次に図７並びに図８は、本発明に係る調光機能を持つ照明装置の第４の実施例を示し、
前記実施例３に示されるように、制御回路９を備え点灯駆動回路Ｃ２を一体に組み込んだ
ランプ１の調光を遠隔操作できるようにしたものである。
【００３２】
具体的には、図８の回路図に示されるように、前記図５に示される回路図中、可変抵抗
器ＶＲ５に代えて受信回路部１２を設けたものである。また、この制御回路９を設けたラ
ンプ１の胴体部分７Ａ（先の各実施例の操作具装着部に該当する部位）には、受信回路部
１２の信号入力部としての受光部（光電素子）１３が設けられている。
【００３３】
したがって、図８に示したリモコン送信機１４の送信回路１５から制御信号を前記ラン
プ１の胴体部分７Ａに設けた受光部１３（図７）を介して受信回路部１２に制御信号を送
信することによって、制御回路９より、前記実施例３と同じように、受信した制御信号に
対応したフォトカプラ制御信号を出力し、各発光ダイオード４の電流をアナログ的若しく
はデジタル的に制御し、もって色調、併せて輝度の調整が行えるようになっている。
【００３４】
遠隔操作であるから、手動操作がかなわない高い位置に設けられたりした光源の色調・
輝度の調整を居ながらにして簡便に行える。
【実施例５】
【００３５】
次に、図９は、本発明に係る調光機能を持つ照明装置の第５の実施例を示し、上述した
各実施例と同様の効果、つまりは必要に応じて、また、好みに応じて、リアルタイムに、
自在に色調・輝度を調整できる効果を現出でき、併せて比較的簡便に色調・輝度の調整を
可能にすることを意図して開発されたものである。
【００３６】
基本的には、表面に発光塗料を塗布したプレートと、グローブに設けた脱着用の開口と
からなる発光色可変体と、紫外線を発する発光ダイオードを採用する。
具体的な構成は、まず、特定の色が出る蛍光塗料を塗布した透光性のある合成樹脂、好
ましくはガラスを素材にしたプレート１６と、紫外発光ダイオード４Ａを採用する。この
プレート１６を紫外発光ダイオード４Ａから発せられる紫外線に晒すことによって、この
プレートの蛍光塗料を発光させて、好みの色を得る。なお、図中１８は輝度を調整するた
めのスライド型の操作摘みである。
【００３７】
必然的に一枚のプレート１６は一色しか発しないために、必要に応じて異なった色合い
に発光する幾種類かの蛍光塗料を塗布したプレート１６を用意し、これを取り換えること
によって、好みの色を得る。
【００３８】
プレート１６を紫外発光ダイオード４Ａから発せられる紫外線に晒す手段は、図示する
ように、グローブ２の対向する壁にプレート挿脱用の開口１７を形成して、ここにプレー
ト１６を装着したり、取り外したりする、プレート脱着手段を採用する。
【００３９】
また、グローブ２のプレート１６存在位置から下位で前記操作具装着部７の上縁に対応
する部位には、紫外発光ダイオード４Ａの紫外線照射がグローブ２外方に漏れるのを防止
するために、紫外線の透過を遮る遮光処理を施すのが望ましい。より望ましい色調を得る
ためである。
【実施例６】
【００４０】
次に、図１０，１１は、本発明に係る調光機能を持つ照明装置の第６の実施例を示し、
上記実施例５によるプレート変換に代えて、発光色可変体としのフィルター１９を駆動制
御機構２０を介して回転させて、種々の色合いを現出できるようにしたものである。プレ
ート交換に比べて、色調の調整作業が簡便になる。
【００４１】
具体化には、図１０（Ａ）に示すように、操作具装着部７内に駆動制御機構としての電
動モーター２０を設け、その出力軸２１をグローブ２内の最大径部分にまで延出して、延
出端にフィルター１９を一体に設ける。このフィルター１９は、同図（Ｂ）に示すように
、透明で保形性のある円板状フイルムの表面に、周方向に等区分ごとに、それぞれ発光色
の異なる蛍光塗料が塗布された区分１９Ａを設けて形成されていて、その中心部分を出力
軸２１の延出端に一体回転可能に取り付けてある。また、このフィルター１９の紫外発光
ダイオード４Ａの存在側に近接させて、このフィルター１９の１つの区分に該当する領域
のみを切り欠いてＶ字形状の光透過部２３を備えた円板状の遮光板２２が、このフィルタ
ー１９と同芯状に設けられている。２４はこの遮光板２２を操作具装着部７に固定するた
めのステーである。
【００４２】
前記駆動モーター２０は、図１１の回路図に示すように、点灯駆動回路Ｃ３中に当該駆
動モーター２０の制御回路Ｚと共に配され、制御回路９からの制御信号に基づき制御回路
Ｚを介してフィルター１９の回転を司る。また、制御回路９には各発光ダイオード４を制
御する可変抵抗器ＶＲ５と駆動モーター２０の回転を制御する可変抵抗器ＶＲＭが設けら
れている。
尚、これらの可変抵抗器ＶＲ５，ＶＲＭもそれぞれ前記第３の実施例に示すように、リ
モコン操作に代替することができる。
【００４３】
したがって、電動モーター２０の間歇的な回転によって、フィルター１９の区分１９Ａ
の一つをこの光透過部２３に対応させて、その回転を停止する。その結果、紫外発光ダイ
オード４Ａから発せられる紫外線が当該光透過部２３からフィルター１９へ照射されるこ
とになり、この光透過部２３に合致して存在するの区分１９Ａの蛍光塗料を発光させる。
これによって、簡便に好みの色を得ることができる。
【００４４】
また、グローブ２のフィルター１９存在位置から下位で前記操作具装着部７の上縁に対
応する部位には、紫外発光ダイオード４Ａの紫外線照射がグローブ２外方に漏れるのを防
止するために、紫外線の透過を遮る遮光処理を施すのが望ましい。より望ましい色調を得
るためである。
【実施例７】
【００４５】
次に、図１２は、本発明に係る調光機能を持つ照明装置の第７の実施例を示し、特にレ
ンズで光を調整し、壁面や床、天井などに像を映し出し、看板やポスター代わりの表示装
置としてユニークな照明装置を得るようにしたものである。
【００４６】
具体的には、上記実施例５に示される構成においては、グローブ２内の紫外発光ダイオ
ード４Ａの前面に光束調整具の一例としての凸レンズ２５を配する一方、プレート１６に
文字や文様などの切り抜き若しくは発光塗料を塗布しない領域としての模様領域２６を設
ける。
【００４７】
紫外発光ダイオード４Ａから照射された光は、レンズ２５によって収束され、プレート
１６を照射する。このとき、模様領域２６からは、その形状に応じて、紫外発光ダイオー
ド４Ａから照射された光が直に透過して、それが壁面に照射されて像Ｉを映し出す。また
、その周囲は、発光塗料の発光色で覆われ、大変ユニークな照明効果が得られる。
【００４８】
この実施例は、光源として紫外発光ダイオード４Ａに拘ることなく、実施例１〜４で採
用されたのと同様の発光ダイオード４を採用し、また、プレート１６も発光塗料を塗布し
ない、単なる透光性の素材を採用して実施することができる。
【００４９】
なお、以上各実施例に採用される発光ダイオード４並びに紫外発光ダイオード４Ａは、
図例では、デスクリート型のものを採用しているが、ＬＥＤチップを透明体に埋設して得
られるチップ型ＬＥＤランプであっても同様の効果を奏することは言うまでもない。
【００５０】
また、本発明は基本的には、直に手で操作すること以外にも、第４の実施例に示すよう
に、リモコン操作も含めて広い意味での手動という動作を必然とすることによって色調が
可変できればいかなる構成であっても良いことは言うまでも無く、実施例に記載された構
成に限定されるものではない。
【００５１】
更に、照明装置として、各図に示すように、球形カバー体、つまりグローブ２とねじ付
口金わ備えたを備えるもの採用したが、長尺円筒形のカバー体（蛍光灯状）を備えるもの
にも採用することができる。したがって、本発明における照明装置は、これらの形状を包
含することはいうまでもなく、グローブ２部分の形状にこだわるものではない。
【図面の簡単な説明】
【００５２】
【図１】本発明に係る調光機能を持つ照明装置の実施例１を示す一部切り欠き正面図である。
【図２】図１に示される照明装置の回路図である。
【図３】本発明に係る調光機能を持つ照明装置の実施例２を示す一部切り欠き正面図である。
【図４】本発明に係る調光機能を持つ照明装置の実施例３を示す一部切り欠き正面図である。
【図５】図４に示される実施例３の照明装置の回路図である。
【図６】実施例３の変形例を示す一部切り欠き正面図である。
【図７】本発明に係る調光機能を持つ照明装置の実施例４を示す一部切り欠き正面図である。
【図８】図７に示される実施例４の照明装置の回路図である。
【図９】本発明に係る調光機能を持つ照明装置の実施例５を示す一部切り欠き説明正面図である。
【図１０】本発明に係る調光機能を持つ照明装置の実施例６を示し、（Ａ）は一部切り欠き正面図、（Ｂ）はカラーフィルターの平面図である。
【図１１】図１０に示される実施例６の照明装置の回路図である。
【図１２】本発明に係る調光機能を持つ照明装置の実施例７を示す一部切り欠き正面図である。
【符号の説明】
【００５３】
１…ランプ
２…グローブ
３…口金
４…発光ダイオード
４Ａ…紫外発光ダイオード
５…配線基盤
６１〜６４、１０、１１…操作摘み
７…操作具装着部
９…制御回路
１２…受信回路部
１４…送信機
１６…プレート
１９…カラーフィルター
１９Ａ…区分
２０…駆動制御機構（電動モータ）
２２…遮光板
２３…光透過部
２５…レンズ
２６…模様領域
ＶＲ１〜５…可変抵抗器
Ｃ１〜Ｃ３…点灯駆動回路
ＣＡ〜ＣＤ…直流回路
ＣＭ…駆動モーターの回路
ＶＲＭ…可変抵抗器
【図１】
2005222750.tif 000003
【図２】
2005222750.tif 000004
【図３】
2005222750.tif 000005
【図４】
2005222750.tif 000006
【図５】
2005222750.tif 000007
【図６】
2005222750.tif 000008
【図７】
2005222750.tif 000009
【図８】
2005222750.tif 000010
【図９】
2005222750.tif 000011
【図１０】
2005222750.tif 000012
【図１１】
2005222750.tif 000013
【図１２】
2005222750.tif 000014